(57)【要約】【課題】  運用中の光ファイバ心線は、他の電気通信事業者が簡単に触れることができない光クロージャを得る。【解決手段】  ケーブル接続部を収容保護する光クロージャ１において、スリーブ８内の光ファイバケーブル２は、運用中の光ファイバ心線の外周が、硬質材料で開閉自在に形成された施錠付きの筒状保護ケース３１で覆われる。【選択図】        図２
2006154405.tif 000002
【特許請求の範囲】
【請求項１】
開閉自在に形成されたスリーブ内の光ファイバケーブルの、分岐する光ファイバ心線を除いた光ファイバ心線の外周を硬質材料で形成された施錠付きの保護ケースで覆ったことを特徴とする光クロージャ。
【請求項２】
前記保護ケースの端部が前記スリーブの端部開口を覆う端面板に近接するように、前記保護ケースの長さが設定されていることを特徴とする請求項１に記載の光クロージャ。
【請求項３】
前記保護ケースは、金属材料又は硬質樹脂材料で形成されていることを特徴とする請求項１又は２に記載の光クロージャ。
【請求項４】
前記保護ケースは、一側を開放したケース本体と、このケース本体の開放部を覆う蓋体とを備え、解錠することにより、前記蓋体がケース本体の開放部を開閉可能になることを特徴とする請求項１乃至３の何れかに記載の光クロージャ。
【発明の詳細な説明】
【技術分野】
【０００１】
本発明は、主にケーブル接続部を収容保護する光クロージャに関するもので、特に、ドロップケーブルの追加接続や分岐ケーブルの追加収容等の際に、既設の運用回線に他の電気通信事業者が触れることを防止するための改良に関する。
【背景技術】
【０００２】
図７は、主ケーブル又は分岐ケーブル等の光ファイバケーブルにドロップケーブルを接続したケーブル接続部を収容保護する光クロージャの従来例を示したものである。
ここに示した光クロージャ１０１は、下記特許文献１に記載されたもので、主ケーブル１０２と分岐ケーブル１０４，１０５とのケーブル接続部１０６を、開閉自在に形成された硬質樹脂製のスリーブ１０８内に収容している。
【０００３】
主ケーブル１０２は、例えば、ＳＺスロット型の光ファイバケーブルで、図８に示すように、スリーブ１０８内に収容される範囲の外被１０２ａを剥いで、ドロップケーブル又は分岐ケーブル１０４，１０５に接続する光ファイバ心線１０２ｂを、スロットロッド１０２ｃのスロット溝から取り出す。
分岐ケーブル１０４，１０５は、例えば、多心又は単心の光ファイバケーブルで、主ケーブル１０２の場合と同様に、外被１０４ａ，１０５ａを剥いで、ドロップケーブル又は主ケーブル１０２の光ファイバ心線１０２ｂに接続する光ファイバ心線１０４ｂ，１０５ｂを、テンションメンバ１０４ｃ，１０５ｃから分離して露出させておく。
【０００４】
スリーブ１０８の両端付近に位置する各ケーブル１０２，１０４，１０５の被覆部は、スリーブ１０８の両端付近に装備されたケーブル把持金具１１１によって把持・固定されている。
また、分岐ケーブル１０４，１０５のテンションメンバ１０４ｃ，１０５ｃは、ケーブル把持金具１１１よりもスリーブの内方に装備されたテンションメンバ把持金具１１３，１１４に把持・固定されている。
【０００５】
図示はしないが、スリーブ１０８の両端における分岐ケーブル１０４，１０５の挿通部の周辺には、ドロップケーブルを挿通させる複数個のケーブル挿通用開口が装備されている。このケーブル挿通用開口からスリーブ１０８内に導入されたドロップケーブルは、接続対象の光ファイバ心線１０２ｂ，１０４ｂ，１０５ｂと共に接続部収納トレイ１１５内に引き込み、この接続部収納トレイ１１５内でケーブル接続部１０６と余長部が収容処理される。
【０００６】
ところで、近年では、既設資源を有効に活用するべく、主ケーブル１０２内の未使用の光ファイバ心線（ダークファイバと呼ばれている）を、他の電気通信事業者へ開放することが求められている。
そこで、従来では、開放するダークファイバ１０２ｄと主ケーブル１０２上の運用中の光ファイバ心線との区別を明確にするため、図９及び図１０に示すように、運用中の光ファイバ心線１０２ｂは、スロットロッド１０２ｃと一緒に軟質樹脂製のジッパー付きシート１２１で覆い、ダークファイバ１０２ｄはジッパー付きシート１２１の外部に露出させて他の電気通信事業者の使用を可能にしている。
【０００７】
【特許文献１】特開平２００２−８２２３２号公報
【発明の開示】
【発明が解決しようとする課題】
【０００８】
ところが、ジッパー付きシート１２１は簡単に開くことができるため、ダークファイバ１０２ｄを使う他の電気通信事業者が、ジッパー付きシート１２１を不用意に開いて運用中の光ファイバ心線１０２ｂに触れて損傷させたり、意図的に接続関係を調べたりすることが比較的容易にできてしまい、運用中の光ファイバ心線１０２ｂの保安性に関して、問題があった。
また、ジッパー付きシート１２１は、通常、軟質の樹脂シートで形成されているため、例えば接続処理の際に工具をぶつけて断線等が生じた際、他の電気通信事業者によるものか否かの事故責任を明確に特定することが困難であった。
【０００９】
本発明は上記実状に鑑みなされたものであり、その目的は、スリーブ内で、他の電気通信事業者に開放されるダークファイバを除いて運用中の光ファイバ心線に簡単に触れることができず、よって、運用中の光ファイバ心線の保安性を向上させることができる光クロージャを提供することにある。
【課題を解決するための手段】
【００１０】
上記目的を達成するために、本発明に係る請求項１記載の光クロージャは、開閉自在に形成されたスリーブ内の光ファイバケーブルの、分岐する光ファイバ心線を除いた光ファイバ心線の外周を硬質材料で形成された施錠付きの保護ケースで覆ったことを特徴とする
【００１１】
本発明に係る請求項２記載の光クロージャは、請求項１に記載の光クロージャにおいて、前記保護ケースの端部が前記スリーブの端部開口を覆う端面板に近接するように、前記保護ケースの長さが設定されていることを特徴とする。
【００１２】
本発明に係る請求項３記載の光クロージャは、請求項１又は２に記載の光クロージャにおいて、前記保護ケースは、金属材料又は硬質樹脂材料で形成されていることを特徴とする。
【００１３】
本発明に係る請求項４記載の光クロージャは、請求項１乃至３の何れかに記載の光クロージャにおいて、前記保護ケースは、一側を開放したケース本体と、このケース本体の開放部を覆う蓋体とを備え、解錠することにより、前記蓋体がケース本体の開放部を開閉可能になることを特徴とする。
【発明の効果】
【００１４】
本発明の請求項１記載の光クロージャによれば、運用中の光ファイバ心線を覆う保護ケースは施錠付きで、解錠手段を持たない他の電気通信事業者は保護ケースを開けることができない。従って、他の電気通信事業者が簡単に運用中の光ファイバ心線に触れることはできず、よって、事故に対する責任の所在も明確にされる。
また、運用中の光ファイバ心線を覆う保護ケースは、硬質材料製のため、他の電気通信事業者によるダークファイバの接続処理作業中に、工具等の接触による衝撃を作用させても、内部の光ファイバ心線を断線から防ぐことができる。
従って、運用中の光ファイバ心線を外部からの衝撃等から安全に保護することができて、運用中の光ファイバ心線の保安性を向上させることができる。
【００１５】
本発明の請求項２記載の光クロージャによれば、スリーブ内に収容された運用中の光ファイバ心線は、スリーブの両端までのほとんどの範囲が保護ケースによって覆われた状態になり、運用中の光ファイバ心線に対する不法接触を確実に防止することができる。
【００１６】
本発明の請求項３記載の光クロージャによれば、使用する金属材料又は樹脂材料の板厚を適宜に調整することで、衝撃等に対して所望の強度を持った保安性の高い保護ケースを得ることができる。
【００１７】
本発明の請求項４記載の光クロージャによれば、運用中の光ファイバ心線を覆う保護ケースは、解錠して蓋体を開けば、収容している光ファイバ心線が露出して、運用中の光ファイバ心線への保守が可能になるため、運用中の光ファイバ心線の保守性が低下することもない。
【発明を実施するための最良の形態】
【００１８】
以下、本発明に係る光クロージャの好適な実施の形態を図面を参照して詳細に説明する。
図１乃至図６は本発明に係る光クロージャの一実施の形態を示したもので、図１は本発明に係る光クロージャの一部を破断して示す平面図、図２は図１に示した光クロージャの一部を破断して示す正面図、図３は図２のIII矢視図、図４は図２のIV−IV線に沿う断面図、図５は図２に示した筒状保護ケースの斜視図、図６は図５のＡ−Ａ線に沿う断面図である。
【００１９】
この一実施の形態の光クロージャ１は、主ケーブル２と分岐ケーブル４，５とのケーブル接続部を、開閉自在に形成された硬質樹脂製のスリーブ８内に収容したものである。
スリーブ８は、その両端から延出した連結棒９の先端が、吊り金具１１に連結されていて、吊り金具１１を介して既設の架空支持機構に吊持される。
【００２０】
本実施の形態の場合、スリーブ８の両端には、図３に示すように、主ケーブル２を挿通させるための第１のケーブル挿通用開口１３ａと、分岐ケーブル４，５を挿通させるための第２のケーブル挿通用開口１３ｂと、不図示のドロップケーブルを挿通させるための第３のケーブル挿通用開口１３ｃとを有した端面板１３が装備されている。
端面板１３は、少なくとも各開口１３ａ，１３ｂ，１３ｃの周縁が適度の弾性を有した樹脂又はゴム材料によって形成されていて、スリーブ８の両端開口を塞いで、スリーブ８内に雨滴や塵埃等が進入することを防止するシール部材として機能する。
【００２１】
端面板１３上において、第１のケーブル挿通用開口１３ａと第２のケーブル挿通用開口１３ｂとは、上下に所定の間隔をあけて配置されている。第１のケーブル挿通用開口１３ａが下側で、第２のケーブル挿通用開口１３ｂが上側に位置している。また、第３のケーブル挿通用開口１３ｃは第２のケーブル挿通用開口１３ｂの周囲に所定のピッチで、環状に配置されている。
端面板１３には、主ケーブル２及び分岐ケーブル４，５の挿通を容易にするために、第１のケーブル挿通用開口１３ａ及び第２のケーブル挿通用開口１３ｂを開く割り面１３ｄが装備されている。
【００２２】
スリーブ８の両端付近で、端面板１３の装備位置よりも内側となる位置には、端面板１３を挿通してスリーブ８内に引き込まれた主ケーブル２及び分岐ケーブル４，５の被覆部を把持固定するケーブル把持金具１５が装備されている。
各ケーブル把持金具１５は、図４に示すように、スリーブ８に固定される金具本体２１と、この金具本体２１に螺合装着される鬼目ねじ２３とから構成されている。
【００２３】
端面板１３の第１のケーブル挿通用開口１３ａを通って、スリーブ８の下段に挿通される主ケーブル２は、例えば、ＳＺスロット型の光ファイバケーブルで、スリーブ８の両端のケーブル把持金具１５により把持される位置よりも内側となる範囲の外被を剥いで、ドロップケーブル又は分岐ケーブル４，５に接続する光ファイバ心線がスロットロッドのスロット溝から取り出される。
一方、分岐ケーブル４，５は、例えば、多心又は単心の光ファイバケーブルで、主ケーブル２の場合と同様に、ケーブル把持金具１５により把持される位置よりも内側となる範囲の外被を剥いで、ドロップケーブル又は主ケーブル２に接続する光ファイバ心線が露出される。
これらの主ケーブル２及び分岐ケーブル４，５は、必要な光ファイバ心線相互の接続処理をした後、運用中の光ファイバ心線及びその接続部は、他の電気通信事業者に開放する分の光ファイバ心線２ｂと分離し、スリーブ８内の下部空間に配置された筒状保護ケース３１に、主ケーブル２のスロットロッド２ｃ（図６参照）と共に収容される。
【００２４】
筒状保護ケース３１は、図５及び図６に示すように、一側（図では下側）を開放したケース本体３３と、このケース本体３３の開放部を覆う蓋体３５とを備えている。
蓋体３５は、図６に示すように、一端側がケース本体３３にヒンジ結合され、作業手前側が、錠機構３７によりケース本体３３に連結固定されるようになっている。即ち、蓋体３５は、錠機構３７を施錠することにより、錠機構３７の開放部を覆った状態にロックされ、錠機構３７を解錠することにより、ヒンジ部３８を支点とする回動動作により、錠機構３７の開放部を露出させ構造となっていて、施錠・解錠によりケース本体３３の開放部が開閉可能になる。
【００２５】
筒状保護ケース３１を構成するケース本体３３及び蓋体３５は、何れも、金属材料又は硬質樹脂材料等の硬質材料で形成されている。
また、図１及び図２に示すように、筒状保護ケース３１は、少なくともケース本体３３の端部がスリーブ８の端部開口を覆う端面板１３に近接するように、筒状保護ケース３１の長さが設定されている。
【００２６】
また、ケース本体３３の上面の両端には、図５に示すように、他の電気通信事業者に開放する分の光ファイバ心線２ｂ（即ち、ダークファイバ）を筒状保護ケース３１の外部に引き出しておくための窓部３３ａが開口されている。
この窓部３３ａから引き出された光ファイバ心線２ｂは、筒状保護ケース３１の上部に配置された追加接続部収容トレイ４１に導入され、余長の収容や接続、あるいは、端部をコネクタ４３に接続する処理が施されて、他の電気通信事業者への引き渡しを待つ。
【００２７】
非運用中の光ファイバ心線２ｂ（即ち、ダークファイバ）の利用を許可された他の電気通信事業者は、第３のケーブル挿通用開口１３ｃからスリーブ８内に導入したドロップケーブルを、追加接続部収容トレイ４１上の開放されている光ファイバ心線２ｂに接続して使用する。
【００２８】
以上に説明した光クロージャ１によれば、運用中の光ファイバ心線は他の電気通信事業者に開放されるダークファイバ２ｂを引き出した状態で、施錠付き筒状保護ケース３１で覆われており、筒状保護ケース３１は、解錠手段を持たない他の電気通信事業者によって開けることができない。従って、他の電気通信事業者が簡単に運用中の光ファイバ心線に触れることはできない。
また、運用中の光ファイバ心線を覆う筒状保護ケース３１は、金属や硬質樹脂等の硬質材料製のため、他の電気通信事業者によるダークファイバ２ｂの接続処理中に、工具等の衝突等で筒状保護ケース３１に衝撃が作用しても、内部の光ファイバ心線に伝達されることを防ぐことができる。
従って、運用中の光ファイバ心線を外部からの衝撃等から安全に保護することができて、運用中の光ファイバ心線の保安性を向上させることができる。
【００２９】
また、上記光クロージャ１によれば、スリーブ８内に収容された運用中の光ファイバ心線は、スリーブ８の両端までのほとんどの範囲が保安性の高い筒状保護ケース３１によって覆われた状態になり、運用中の光ファイバ心線に対する不法接続を防止する効果が高められる。
【００３０】
また、上記光クロージャ１によれば、ケース本体３３や蓋体３５に使用する金属材料又は樹脂材料の板厚を適宜に調整することで、衝撃等に対して所望の強度を持った保安性の高い筒状保護ケース３１を得ることができる。
【００３１】
更に、上記光クロージャ１によれば、運用中の光ファイバ心線を覆う筒状保護ケース３１は、解錠して蓋体３５を開けば、収容している光ファイバ心線が露出して、運用中の光ファイバ心線への保守が可能になるため、運用中の光ファイバ心線の保守性が低下することもない。
【００３２】
なお、上記筒状保護ケース３１の具体的な構造は、本発明の趣旨を逸脱しない範囲で適宜に設計変更可能であり、上記実施の形態の構造に限定するものではない。
【図面の簡単な説明】
【００３３】
【図１】本発明に係る光クロージャの一実施の形態の一部を破断した平面図である。
【図２】図１に示した光クロージャの一部を破断した正面図である。
【図３】図２のIII矢視図である。
【図４】図２のIV−IV線に沿う断面図である。
【図５】図２に示した筒状保護ケースの斜視図である。
【図６】図５のＡ−Ａ線に沿う断面図である。
【図７】従来の光クロージャの縦断面図である。
【図８】図７の光クロージャに収容される主ケーブルの光ファイバ心線露出部の説明図である。
【図９】図７の光クロージャに収容された主ケーブルを保護する従来の方法の説明図である。
【図１０】図９にＸ−Ｘ線に沿う断面図である。
【符号の説明】
【００３４】
１  光クロージャ
２  主ケーブル
４，５  分岐ケーブル
８  スリーブ
９  連結棒
１１  吊り金具
１３  端面板
１３ａ  第１のケーブル挿通用開口
１３ｂ  第２のケーブル挿通用開口
１３ｃ  第３のケーブル挿通用開口
１３ｄ  割り面
１５  ケーブル把持金具
２１  金具本体
２３  鬼目ねじ
３１  筒状保護ケース
３３  ケース本体
３５  蓋体
３７  錠機構
３８  ヒンジ部
４１  追加接続部収容トレイ
４３  コネクタ
【図１】
2006154405.tif 000003
【図２】
2006154405.tif 000004
【図３】
2006154405.tif 000005
【図４】
2006154405.tif 000006
【図５】
2006154405.tif 000007
【図６】
2006154405.tif 000008
【図７】
2006154405.tif 000009
【図８】
2006154405.tif 000010
【図９】
2006154405.tif 000011
【図１０】
2006154405.tif 000012